(57)【特許請求の範囲】
【請求項１】
蓋体によって開閉されるとともに、その内部に底壁と周壁とで化粧皿を収納する化粧皿収納部が形成された容器本体を有する化粧料容器において、
上記化粧皿の外周に係合溝を形成し、上記容器本体の上記周壁の第１壁部に、上記化粧皿の上記係合溝に係合可能な第１係合突起を形成し、上記第１壁部と相対向する上記周壁の第２壁部に、上下方向にＵ字状スリットを形成することで、下端部を自由端とし上端部を固定端とする板ばね状の爪を複数形成し、これら爪の自由端に、上記化粧皿の上記係合溝に係合可能な第２係合突起を形成するとともに、上記第２壁部には各爪それぞれの固定端上方からその頂面までの適宜位置に、ほぼ爪の幅で横スリットを形成したことを特徴とする化粧料容器。
【発明の詳細な説明】
【０００１】
【発明の属する技術分野】
本発明は、化粧皿を交換可能とした化粧料容器に関する。
【０００２】
【従来の技術】
化粧料が充填された化粧皿を容器本体に対して脱着可能として、使用済みの化粧皿を新しい化粧皿に交換したり、あるいは複数種類の化粧料を好みに応じて交換できるようにした化粧料容器として、特開２０００−３０８５１７で提案されたものが知られている。
【０００３】
この化粧料容器は具体的には、容器本体と、この容器本体に開閉自在に蝶着される蓋体とを備え、容器本体内に化粧皿を収納するようになっており、前記化粧皿の外周に係合溝を形成し、前記容器本体の化粧皿収納部の第１内面に、前記化粧皿の係合溝に係合可能な第１係合突起を形成するとともに、該第１内面に対向する化粧皿収納部の第２内面に、上下方向に延びる縦スリットを両側に形成して下端を自由端とする複数の爪を形成し、これら爪の下端部内面に、前記化粧皿の係合溝に係合可能な第２係合突起を形成するとともに、これら爪間の第２内面を、下端を自由端として前記爪より大きなバネ力をもって可撓可能な保持壁とし、この保持壁の内面に、前記第２係合突起より少ない突出量に設定されて前記化粧皿を第１係合突起方向に押圧する凸部を形成し、かつ前記第２内面の前記保持壁および前記爪の上方に、それらの形成領域の全幅に亘って横スリットを形成して構成されていた。
【０００４】
そして当該化粧料容器にあっては、化粧皿は、第２内面に形成した爪のたわみ変形を伴って容器本体の化粧皿収納部に装着されるとともに、該第２内面に設けた保持壁のたわみ変形を伴って化粧皿収納部から取り外されるようになっており、かつ第２内面の保持壁および爪の上方に、それらの形成領域の全幅に亘って横スリットが形成されているので、化粧皿の脱着時や化粧料容器を落下させた場合に、爪または保持壁のたわみ変形部分に応力が集中することなく、第２内面の前記横スリットより下方部分のねじれを伴う湾曲変形により応力を分散して爪および保持壁の破損を防止することができ、化粧料容器の耐久性を高めることができるというものであった。
【０００５】
【発明が解決しようとする課題】
ところで、上記従来の化粧料容器にあっては、応力を分散させて爪や保持壁の破損を防止するための横スリットが保持壁および爪の上方にそれらの形成領域の全幅に亘って形成されていたため、これら爪と保持壁を備える第２内面自体が全体として板ばねとして作用してしまい、爪や保持壁それぞれに設定した弾性特性に影響を与えることとなっていた。
【０００６】
このため、化粧皿の脱着性を確保しつつこれを化粧料皿収納部内に保持する爪や保持壁の弾性特性の設定にあたっては、このような第２内面のばね性までも念頭に入れる必要があるが、この第２内面の弾性特性をも考慮してこれら爪や保持壁の弾性特性を適切に調整することは困難であるという問題があった。特に爪は、化粧皿の脱着操作性に直接影響し、相当のばね性を示す第２内面のために不必要に柔らかめとなって、化粧皿が確実に装着されたか否かの感触を示すクリック操作感が損なわれてしまい、操作性がよくないという問題があった。
【０００７】
そこで、本発明はかかる従来の課題に鑑みて成されたもので、爪の弾性特性を適切に設定できて化粧皿の脱着操作性を向上させることができるとともに、化粧皿の脱着時等に爪が破損されることをも適切に防止できる化粧料容器を提供することを目的とする。
【０００８】
【課題を解決するための手段】
かかる目的を達成するために本発明は、蓋体によって開閉されるとともに、その内部に底壁と周壁とで化粧皿を収納する化粧皿収納部が形成された容器本体を有する化粧料容器において、上記化粧皿の外周に係合溝を形成し、上記容器本体の上記周壁の第１壁部に、上記化粧皿の上記係合溝に係合可能な第１係合突起を形成し、上記第１壁部と相対向する上記周壁の第２壁部に、上下方向にＵ字状スリットを形成することで、下端部を自由端とし上端部を固定端とする板ばね状の爪を複数形成し、これら爪の自由端に、上記化粧皿の上記係合溝に係合可能な第２係合突起を形成するとともに、上記第２壁部には各爪それぞれの固定端上方からその頂面までの適宜位置に、ほぼ爪の幅で横スリットを形成したことを特徴とする。
【０００９】
【発明の実施の形態】
以下、本発明の実施形態を添付図面を参照して詳細に説明する。図１から図６は本発明にかかる化粧料容器の一実施形態を示し、図１は化粧皿を取り出して蓋体を開放した状態の化粧料容器の斜視図、図２は蓋体を開放した化粧料容器の平面図、図３は蓋体を閉止した状態の図２中Ａ−Ａ線に対応する断面図、図４は蓋体を閉止した状態の図２中Ｂ−Ｂ線に対応する断面図、図５は化粧皿の装着状態を示す拡大要部断面図、図６は化粧皿を離脱する状態を示す拡大要部断面図である。
【００１０】
本実施形態の化粧料容器１０は基本的には、蓋体１４によって開閉されるとともに、その内部に底壁１３と周壁１５とで化粧皿２４を収納する化粧皿収納部２０が形成された容器本体１２を有し、化粧皿２４の外周に係合溝２４ａを形成し、容器本体１２の周壁１５の第１壁部としての隔壁１５ａに、化粧皿２４の係合溝２４ａに係合可能な第１係合突起２８を形成し、隔壁１５ａと相対向する周壁の第２壁部である後方壁１５ｂに、上下方向にＵ字状スリット３０ａを形成することで、下端部を自由端３０ｄとし上端部を固定端３０ｅとする板ばね状の爪３０を複数形成し、これら爪３０の自由端３０ｄに、化粧皿２４の係合溝２４ａに係合可能な第２係合突起３２を形成するとともに、後方壁１５ｂには各爪３０それぞれの固定端３０ｅ上方からその頂面１５ｃまでの適宜位置に、ほぼ爪３０の幅で横スリット３８を形成して構成される。
【００１１】
即ち、本実施形態にかかる化粧料容器１０は、図１，図２に示すように容器本体１２の後方端部（図１中Ｘ方向を前方、Ｙ方向を後方とする。）に蓋体１４が蝶番１６を介して開閉可能に蝶着される。容器本体１２は、その底を構成する底壁１３と、この底壁１３の外周縁に沿ってこれより立ち上げて一体成形された外周壁１５ｄと、この外周壁１５ｄで取り囲まれた内部に底壁１３から立ち上げてかつ横方向に外周壁１５ｄ間に掛け渡して一体成形された隔壁１５ａとから構成され、特に外周壁１５ｄの一部分である蝶番１６が備えられた後方壁１５ｂは、その頂面１５ｃでさらに下向きに折り返されて二重壁構造で構成されている。そして容器本体１２の周壁１５は外周壁１５ｄと隔壁１５ａとからなっている。隔壁１５ａは、容器本体１２内部を前後２つの収納部に区画し、一方（図１中後方）の収納部が化粧皿収納部２０として形成され、かつ、他方（図１中前方）の収納部がパフ等を入れる小物入れ２２として用いられる。そして、前記化粧皿収納部２０には、前記容器本体１２とは別体に形成される図１に示した化粧皿２４が脱着可能に収納される。
【００１２】
前記化粧皿２４は前記化粧皿収納部２０の内周形状に沿って矩形状に形成され、その内部に化粧料２６が充填されるとともに、この化粧皿２４の前後両側には係合溝２４ａが形成されている。一方、化粧皿収納部２０に面する前記隔壁１５ａには、前記化粧皿２４の係合溝２４ａに係合可能な一対の第１係合突起２８，２８が形成される。また、前記隔壁１５ａと相対向する後方壁１５ｂに、前記第１係合突起２８，２８に対向して一対の爪３０，３０を形成する。これら爪３０，３０は、後方壁１５ｂにその下端部を底壁１３から分離しつつ上下方向に延びるＵ字状スリット３０ａ，３０ａを形成することによって設けられ、その上端部の付け根部分を固定端３０ｅ，３０ｅとして板ばね状に弾性変形可能で、これにより下端部が自由端３０ｄ，３０ｄとされる。そして、前記爪３０，３０の自由端３０ｄ，３０ｄには前記化粧皿２４の係合溝２４ａに係合可能な第２係合突起３２，３２がそれぞれ形成される。前記隔壁１５ａの中央部には装着した化粧皿２４を後方壁１５ｂ側へ押圧するための凹設部１８が形成されている。
【００１３】
そして、前記後方壁１５ｂの各爪３０，３０の固定端３０ｅ，３０ｅ直上にはそれぞれ、ほぼ爪３０，３０の幅で水平方向に延びる横スリット３８が形成される。
【００１４】
本実施形態の化粧料容器１０は、蓋体１４の裏面にバニティミラー４０が取付けられるとともに、図４に示すように蓋体１４の先端部中央に突設したフック４２が、容器本体１２の前端部中央に形成した突起４４に係止されることにより、蓋体１４の閉止状態が保持されるようになっている。また、蓋体１４を開放する際には、前記フック４２を押し上げて突起４４との係止を解除するようになっている。
【００１５】
以上の構成により本実施形態の化粧料容器１０にあっては、化粧皿２４を装着する際には、この化粧皿２４を上方から化粧皿収納部２０に挿入することにより、この化粧皿２４の下端部が第２係合突起３２，３２に当接し、この当接した状態から更に化粧皿２４を押し込むことにより、一対の爪３０，３０を後方壁１５ｂの内方へ押し込みつつ化粧皿２４の係合溝２４ａが、図５に示すように隔壁１５ａに形成した一対の第１係合突起２８，２８に係合する。これととともに前記爪３０，３０に形成した第２係合突起３２，３２が係合溝２４ａに位置した時点で、爪３０，３０が弾性復帰してこの第２係合突起３２，３２が係合溝２４ａに係合する。このように第１，第２係合突起２８，３２が係合溝２４ａに係合されることにより、化粧皿２４の離脱が防止されて装着が完了される。従って、本実施形態では化粧皿２４を上方から化粧皿収納部２０に単に押し込むことによって、係合溝２４ａが第１，第２係合突起２８，３２にそれぞれ係合されて化粧皿２４の装着が可能となり、化粧皿２４の装着作業を著しく簡単に行うことができる。
【００１６】
次に、前記化粧皿２４を化粧皿収納部２０から取り外す際には、隔壁１５ａの凹設部１８から指を差し込んで化粧皿２４を後方壁１５ｂに向かって押圧して移動することにより、図６に示すように化粧皿２４で爪３０，３０をたわませつつ第１係合突起２８，２８から係合溝２４ａを離脱させる。そして、化粧皿２４の第１係合突起２８，２８側が上方となるように斜めにして化粧皿２４を上方に持ち上げて、第２係合突起３２，３２から係合溝２４ａを離脱することになる。
【００１７】
ところで、上述したように化粧皿２４を脱着する際にはこれの下端部によって爪３０，３０が後方壁１５ｂ内方へ押し込まれるが、このとき、各爪３０，３０の固定端３０ｅ，３０ｅ上方には横スリット３８，３８が形成されていることからこれら固定端３０ｅ，３０ｅはその両端部が後方壁１５ｂに対して弾性変形可能に結合された状態にあり、従って当該爪３０，３０が押し込まれると固定端３０ｅ，３０ｅはそれ自体、両端部を支点として中央部が後方壁１５ｂ内方に湾曲して変形することが可能となっている。このように固定端３０ｅ，３０ｅの弾性変形が許容されているので、化粧皿２４の脱着時に当該固定端３０ｅ，３０ｅに作用する応力を分散させて爪３０，３０が破壊されることを防止でき、化粧料容器１０の耐久性を向上することができる。また、爪３０，３０の固定端３０ｅ，３０ｅ周囲の弾性特性は、爪３０，３０と横スリット３８，３８との関係のみで決定することができて、これにより爪３０，３０自体に要求される弾性特性を別途適切に設定することが可能となり、クリック操作感などの設定も容易で、化粧皿２４の脱着操作性を向上させることができる。
【００１８】
また、化粧料容器１０を落下させて衝撃が入力された場合には、化粧皿２４の移動により爪３０，３０にも同様の衝撃が作用するが、上述したように爪３０，３０はその固定端３０ｅ，３０ｅも弾性変形可能となっているため、衝撃応力を分散できて爪３０，３０の破損を防止でき、この面からも化粧料容器１０の耐久性を向上することができる。
【００１９】
図７から図９は他の実施形態を示す化粧料容器１０を示し、上記実施形態と同一構成部分に同一符号を付して重複する説明を省略して述べる。図７は化粧皿を取り出して蓋体を開放した状態の化粧料容器の斜視図、図８は図３に対応した断面図、図９は図４に対応した断面図である。
【００２０】
即ち、この実施形態の化粧料容器１０では、横スリット３８，３８は後方壁１５ｂの頂面１５ｃに形成されている。勿論、この実施形態にあっても横スリット３８，３８は、ほぼ爪３０，３０の幅で形成される。
【００２１】
従って、この実施形態にあっても、上記実施形態に示したように横スリット３８，３８を後方壁１５ｂの化粧皿収納部２０に面した上端部に形成した場合と同様に、化粧皿２４の着脱時および化粧料容器１０の落下時に、固定端３０ｅ，３０ｅに作用する応力を分散させることができるとともに、このような応力を分散させる構成とは別に、爪３０，３０自体に要求される弾性特性を独自に適切に設定することができる。
【００２２】
ところで、前記各実施形態に示した横スリット３８，３８は水平方向に直線状に形成した場合を開示したが、これに限ることなく横スリット３８，３８は波形や鋸歯形若しくは山形等自由な形状として形成することができ、また、傾斜させて形成することもできる。
【００２３】
また上記各実施形態では、底壁１３と周壁１５とを一体成形により形成した容器本体１２を有する化粧料容器１０を例示して説明したが、皿状の容器本体に別体の皿枠を収納するようにし、この皿枠の周壁にＵ字状スリット３０ａや爪３０、横スリット３８等を形成するようにしても良い。
【００２４】
【発明の効果】
以上説明したように本発明の化粧料容器にあっては、化粧皿の外周に係合溝を形成し、容器本体の周壁の第１壁部に、化粧皿の係合溝に係合可能な第１係合突起を形成し、第１壁部と相対向する周壁の第２壁部に、上下方向にＵ字状スリットを形成することで、下端部を自由端とし上端部を固定端とする板ばね状の爪を複数形成し、これら爪の自由端に、化粧皿の係合溝に係合可能な第２係合突起を形成するとともに、第２壁部には各爪それぞれの固定端上方からその頂面までの適宜位置に、ほぼ爪の幅で横スリットを形成したので、爪の固定端の弾性変形を許容できて、化粧皿の脱着時や化粧料容器を落下させた場合に爪周辺に作用する応力を分散させて爪が破壊されることを防止することができる。
【００２５】
また、爪自体に要求される弾性特性を適切に設定することが可能となり、クリック操作感などの設定も容易で、化粧皿の脱着操作性を向上させることができる。
【図面の簡単な説明】
【図１】本発明の一実施形態を示す化粧皿を取り出して蓋体を開放した状態の化粧料容器の斜視図である。
【図２】本発明の一実施形態を示す蓋体を開放した化粧料容器の平面図である。
【図３】本発明の一実施形態を示す蓋体を閉止した状態の図２中Ａ−Ａ線に対応する断面図である。
【図４】本発明の一実施形態を示す蓋体を閉止した状態の図２中Ｂ−Ｂ線に対応する断面図である。
【図５】本発明の一実施形態を示す化粧皿の装着状態の拡大要部断面図である。
【図６】本発明の一実施形態を示す化粧皿を離脱する状態の拡大要部断面図である。
【図７】本発明の他の実施形態を示す化粧皿を取り出して蓋体を開放した状態の化粧料容器の斜視図である。
【図８】本発明の他の実施形態を示す図３に対応した断面図である。
【図９】本発明の他の実施形態を示す図４に対応した断面図である。
【符号の説明】
１０  化粧料容器
１２  容器本体
１３  底壁
１４  蓋体
１５  周壁
１５ａ  隔壁
１５ｂ  後方壁
１５ｃ  頂面
２０  化粧皿収納部
２４  化粧皿
２４ａ  係合溝
２８  第１係合突起
３０  爪
３０ａ  Ｕ字状スリット
３０ｄ  自由端
３０ｅ  固定端
３２  第２係合突起
３８  横スリット
【図１】
0004698821.tif 000002
【図２】
0004698821.tif 000003
【図３】
0004698821.tif 000004
【図４】
0004698821.tif 000005
【図５】
0004698821.tif 000006
【図６】
0004698821.tif 000007
【図７】
0004698821.tif 000008
【図８】
0004698821.tif 000009
【図９】
0004698821.tif 000010